(57)【要約】      （修正有）【課題】地図表示を保持したまま他の地図情報システムに切替表示を可能とする。【解決手段】地域間地理情報システム連動サーバシステムは、複数の利用者端末２と複数のウェブ地理情報システム管理者端末３や４とが通信ネットワークを介して接続される地域間地理情報システム連動サーバ５を備え、利用者端末２で一の地域の地理情報システムから、境界線を越えて他の地域への地図移動操作を行った場合、位置受信部９で移動地点地図座標データを受信し、地域範囲感知処理部８で市町村コードを取得し、サイト識別データ部１０で市町村コードのサイト識別データを検出し、表示制御部１１でサイト識別データと移動地点地図座標データを処理し、移動地域の地理情報システムに送り、複数の利用者端末２にサイト切替えデータを送る。【選択図】図１
2007316144.tif 000002
【特許請求の範囲】
【請求項１】
通信ネットワーク上に存在する複数の端末と複数のウェブ地理情報システムが通信ネットワークを介して地域間地理情報システム連動サーバに接続されて成る地域間地理情報システム連動サーバシステムであって、
前記複数のウェブ地理情報システムは、通信ネットワーク上に複数発信されている地図の連続する異なる地域のウェブ地理情報システムであって、
前記複数の端末は、通信ネットワークを介して前記複数の地理情報システムの情報管理を行なう複数の管理者端末と該複数のウェブ地理情報システムを利用する複数の利用者端末から成り、
前記地域間地理情報システム連動サーバは、
該サーバのデータを通信ネットワーク上のウェブブラウザで表示することを可能とする処理を行うＷeb表示処理部と前記利用者端末からの地図検索入力を該Ｗeb表示処理部を介して処理するGIS入力部と検索結果を該利用者端末に該Ｗeb表示処理部を介して出力するGIS出力部と地理空間情報データベースとGISエンジン部と前記管理者端末から管理の入出力を行うGIS管理部とを有するウェブ地理情報システムと、
複数の該ウェブ地理情報システムに地図データを提供する地図データベース部と、
該利用者端末で利用者が連続する異なる地域に地図移動をした場合に、該異なる地域の移動地点の地図位置座標データを受信する位置受信部と、
該位置受信部からの該地図位置座標データにより、地域範囲を感知する地域範囲感知処理部と、
地域範囲の境界線の多角形境界線座標軸データと該データに関連付けられた地域コードを
有する地域範囲境界線データベース部と、
前記地域コードのウェブ地理情報システムのサイト識別することを可能とするサイト識別データを有するサイト識別データ部と、
前記地域範囲感知処理部からの地域コードにより、該地域コードに対応するウェブ地理情報システムのサイト識別データを検出し、前記利用者端末のウェブ地理情報システムの表示を切替処理することを可能とするデータ処理を行う表示制御部とを有することを特徴とする地域間地理情報システム連動サーバシステム。
【請求項２】
前記位置受信部は、前記利用者端末とインターネットを介して通信されており、該利用者端末上で利用者がウェブブラウザに表示される一の地域の地理情報システムを利用し、該地理情報システムの地図の移動操作により、一の地域の境界線を越えて連続する別の地域の地図を表示した場合に、地図の移動地点の地図位置座標データを自動的に取得し、受信することを可能することを特徴とする請求項１に記載の地域間地理情報システム連動サーバシステム。
【請求項３】
前記地域範囲感知処理部は、前記位置受信部からの前記地図位置座標データを受信し、該地図位置座標データをもとに、地域範囲の境界線の多角形境界線座標軸データと該境界線座標軸データに関連付けられた地域コードを有する地域範囲境界線データベース部から、該地図位置座標データに該当する地域コードを検索処理し、該地域コードと該地図位置座標データを同時に前記表示制御部へ送信することを可能とすることを特徴とする請求項１〜２のいずれかに記載の地域間地理情報システム連動サーバシステム。
【請求項４】
前記表示制御部は、前記地域範囲感知処理部からの前記地域コードにより、サイトを識別するデータを有するサイト識別データ部から該地域コードに合致するサイト識別データを検出処理し、該サイト識別データに合致するウェブ地理情報システムのＷeb表示処理部へ送信し、前記利用者端末のウェブ地理情報システムの表示を該サイト識別データに合致するウェブ地理情報システムに切替えることを可能とすることを特徴とする請求項１〜３のいずれかに記載の地域間地理情報システム連動サーバシステム。
【請求項５】
前記地域間地理情報システム連動サーバの位置受信部からの前記地図位置座標データは、
前記地域範囲感知処理部と前記表示制御部を漸次経由して、
前記サイト識別データに合致するウェブ地理情報システムのＷeb表示処理部に前記サイト識別データとともに送信され、
該地図位置座標データは、該Ｗeb表示処理部で、前記利用者端末に前記サイト識別データに合致するウェブ地理情報システムに切替ることを可能とするウェブ表示プログラムに自動的に書き込み処理が行われ、該利用者端末に送られ、該利用者端末のウェブ地理情報システムの表示が、前記サイト識別データに合致するウェブ地理情報システムに切替えられると同時に、前記地図位置座標データを中心とする地図検索信号が自動的に該ウェブ地理情報システムのＷeb表示処理部を経由してGIS入力部に送信され、該地図検索信号に合致する地図データがGISエンジン部で検索処理され、該ウェブ地理情報システムのGIS出力部とＷeb表示処理部を漸次経由して、該利用者端末に切替表示されたウェブ地理情報システムの地図表示画面に該地図検索信号に合致する地図データを表示することを可能とすることを特徴とする請求項１〜４のいずれかに記載の地域間地理情報システム連動サーバシステム。
【発明の詳細な説明】
【技術分野】
【０００１】
本発明は、インターネット等の通信回線を利用し、インターネット利用者端末のウェブ上に表示される連続する異なる地域の複数のウェブ地理情報システムにおいて、一地域のウェブ地理情報システムから、他の地域に連続する地図データの境界線把握により、地理情報システムの利用中の地図位置を保持したまま、他の地域のWebサイトの地理情報システムに自動的に移動することを可能とする地域間地理情報システム連動サーバシステムに関するものである。なお、本願の明細書及び図面中では、「ウェブ」を「Ｗｅｂ」（World Wide Webの略称）、「アドレス」を「URL」、「地理情報システム」をGIS(Geographical Information Systemsの略称)とも記載する。
【背景技術】
【０００２】
近年、インターネット等の通信回線が発達した社会において、インターネットを介したホームページやWebGIS等のウェブ情報発信が行なわれている。そのウェブ情報を閲覧するためには、直接そのウェブサイトのアドレスを入力する方法やハイパーテキストによるリンクの方法や検索エンジンで検索する方法がある。
【０００３】
また、インターネットを利用して観光案内や公共施設、店舗情報の位置を把握するシステムとしてWebGISが地域ごとに利用されている。個々のWebGISは、地域ごとに情報提供される別URLのWebサイトやWebサーバに設置され、インターネットに提供されており、WebGISの運営管理者も異なる場合がほとんどである。
【発明の開示】
【発明が解決しようとする課題】
【０００４】
上記の従来のWebGISでは、市町村ごとといった地域限定のWebGISの場合には、各WebサイトのURLや空間データベースは、個別管理者ごとのWebGISによって異なる。そのため、一地域のWebGISの扱う地理範囲を超えた場合、別地域の空間データを検索閲覧することができない。
また、市町村ごとといった地域限定のWebGISの場合に、地域ごとの観光情報や施設情報や店舗情報等の地理空間データは、地域内のWebGIS運営事業者が整備するのが効率的であり、他の地域の地理空間データを整備するのには手数がかかるという問題がある。
また、サイト運営管理者は、広告料確保を考慮し、より多くのアクセスを稼ぐために、地域GISをより多くのインターネット利用者に使用してもらうことを期待している。
【０００５】
ところで、一の地域のWebGISから別のWebGISに移動するためには、別地域の地理情報システムのURLをWebブラウザに都度入力するか、一の地域のWebサイトから別の地域のWebサイトにリンクを張るか、検索エンジンで別の地域のWebGISを検索する方法によらなければならない。
【０００６】
また、サイト運営管理者は、広告料確保を考慮し、より多くのアクセスを稼ぐために、地域GISをより多くのインターネット利用者に使用してもらうことを期待している。
しかしながら、インターネット利用者に直接URLを入力してもらう場合やリンク、検索の方法による場合では、手数がかかるため利用されないという問題がある。
また、利用者が、他の地域にWebGISがあるかどうか認識していないという問題がある。
【０００７】
そこで、本発明では、一つの地図データベースを複数の異なる地域のWebGISに提供し、地図データの地域境界線座標を自動感知することを可能とすることによって、一の地域のWebGISから、利用中の地図表示を保持したまま、地図の連続する別地域のWebGISに自動的に移動する事を可能とすることよって、上記従来の問題を解決することを目的とする。
【課題を解決するための手段】
【０００８】
本発明は上記課題を解決するために、
通信ネットワーク上に存在する複数の端末と複数のウェブ地理情報システムが通信ネットワークを介して地域間地理情報システム連動サーバに接続されて成る地域間地理情報システム連動サーバシステムであって、
前記複数のウェブ地理情報システムは、通信ネットワーク上に複数発信されている地図の連続する異なる地域のウェブ地理情報システムであって、
前記複数の端末は、通信ネットワークを介して前記複数の地理情報システムの情報管理を行なう複数の管理者端末と該複数のウェブ地理情報システムを利用する複数の利用者端末から成り、
前記地域間地理情報システム連動サーバは、
該サーバのデータを通信ネットワーク上のウェブブラウザで表示することを可能とする処理を行うＷeb表示処理部と前記利用者端末からの地図検索入力を該Ｗeb表示処理部を介して処理するGIS入力部と検索結果を該利用者端末に該Ｗeb表示処理部を介して出力するGIS出力部と地理空間データベースとGISエンジン部と前記管理者端末から管理の入出力を行うGIS管理部とを有するウェブ地理情報システムと、
複数の該ウェブ地理情報システムに地図データを提供する地図データベース部と、
該利用者端末で利用者が連続する異なる地域に地図移動をした場合に、該異なる地域の移動地点の地図位置座標データを受信する位置受信部と、
該位置受信部からの該地図位置座標データにより、地域範囲を感知する地域範囲感知処理部と、
地域範囲の境界線の多角形境界線座標軸データと該データに関連付けられた地域コードを
有する地域範囲境界線データベース部と、
前記地域コードのウェブ地理情報システムのサイト識別することを可能とするサイト識別データを有するサイト識別データ部と、
前記地域範囲感知処理部からの地域コードにより、該地域コードに対応するウェブ地理情報システムのサイト識別データを検出し、前記利用者端末のウェブ地理情報システムの表示を切替処理することを可能とするデータ処理を行う表示制御部とを有することを特徴とする地域間地理情報システム連動サーバシステムとする。
【０００９】
前記位置受信部は、前記利用者端末とインターネットを介して通信されており、該利用者端末上で利用者がウェブブラウザに表示される一の地域の地理情報システムを利用し、該地理情報システムの地図の移動操作により、一の地域の境界線を越えて連続する別の地域の地図を表示した場合に、地図の移動地点の地図位置座標データを自動的に取得し、受信することを可能することを特徴とする。
【００１０】
前記地域範囲感知処理部は、前記位置受信部からの前記地図位置座標データを受信し、該地図位置座標データをもとに、地域範囲の境界線の多角形境界線座標軸データと該境界線座標軸データに関連付けられた地域コードを有する地域範囲境界線データベース部から、該地図位置座標データに該当する地域コードを検索処理し、該地域コードと該地図位置座標データを同時に前記表示制御部へ送信することを可能とすることを特徴とする。
【００１１】
前記表示制御部は、前記地域範囲感知処理部からの前記地域コードにより、サイトを識別するデータを有するサイト識別データ部から該地域コードに合致するサイト識別データを検出処理し、該サイト識別データに合致するウェブ地理情報システムのＷeb表示処理部へ送信し、前記利用者端末のウェブ地理情報システムの表示を該サイト識別データに合致するウェブ地理情報システムに切替えることを可能とすることを特徴とする。
【００１２】
前記地域間地理情報システム連動サーバの位置受信部からの前記地図位置座標データは、
前記地域範囲感知処理部と前記表示制御部を漸次経由して、
前記サイト識別データに合致するウェブ地理情報システムのＷeb表示処理部に前記サイト識別データとともに送信され、
該地図位置座標データは、該Ｗeb表示処理部で、前記利用者端末に前記サイト識別データに合致するウェブ地理情報システムに切替ることを可能とするウェブ表示プログラムに自動的に書き込み処理が行われ、該利用者端末に送られ、該利用者端末のウェブ地理情報システムの表示が、前記サイト識別データに合致するウェブ地理情報システムに切替えられると同時に、前記地図位置座標データを中心とする地図検索信号が自動的に該ウェブ地理情報システムのＷeb表示処理部を経由してGIS入力部に送信され、該地図検索信号に合致する地図データがGISエンジン部で検索処理され、該ウェブ地理情報システムのGIS出力部とＷeb表示処理部を漸次経由して、該利用者端末に切替表示されたウェブ地理情報システムの地図表示画面に該地図検索信号に合致する地図データを表示することを可能とすることを特徴とする。
【発明の効果】
【００１３】
上記構成の本発明に係る地域間地理情報システム連動サーバシステムは、次のような効果を奏する。
（１） 区市町村等の地域ごとに運営者が異なる地域限定のWebGISにおいて、特定の一の地域のWebGISの利用中に、その地域の隣接する他の地域に地図が移動した場合、地図の移動地点位置を保持したまま、隣接する他の地域のWebGISに自動的に移動を可能とすることによって、利用者の検索やURLの入力の手間を省くことが可能となること、また、個々のGIS運営者の連携により、広域エリアのWebGISを効率的に活用することが可能になること、また、区市町村等の境界線付近の地図空間情報データを把握することも容易となる。
【００１４】
（２） 区市町村等の地域ごとに運営者が異なる地域限定のWebGISにおいて、一の地域のWebGISは、地図の連続する複数の地域WebGISから自動的にアクセスされることによってアクセス数が増加し、バナー広告等の広告効果を引き上げることが可能となる。
【発明を実施するための最良の形態】
【００１５】
本発明に係る地域間地理情報システム連動サーバシステムを実施するための最良の形態を実施例に基づき図面を参照して、以下説明する。
【実施例１】
【００１６】
（構成）
本発明に係る地域間地理情報システム連動サーバシステムの実施例１を図１〜４図により説明する。図１は、本発明に係る地域間地理情報システム連動サーバシステムの全体構成を示すブロック図である。本発明に係る地域間地理情報システム連動サーバシステムは、インターネット（他の通信回線でもよい。）１を介して、複数の利用者端末２、複数の地理情報システム管理者端末３と４、地域間地理情報システム連動サーバ５、が接続されて構成される。
【００１７】
本発明に係る地域間地理情報システム連動サーバシステムは、その概要としては、利用者端末２からインターネット１を介して地域間地理情報システム連動サーバ５のウェブ地理情報システムA１２にアクセスし、地理情報システムを利用し、地図移動操作を行った場合に該地理情報システムの地図表示がA地域からB地域に移動した場合に、利用者端末２から自動的に、地域間地理情報システム連動サーバ５の位置受信部９に移動地点の座標データを送り、該座標データを地域範囲感知処理部８と表示制御部１１を経由することによって、移動した地点の地域確定とその地域から発信されているウェブ地理情報システムB１９を確定して、表示制御部１１からウェブ地理情報システムB１９のＷeb表示処理部B２５に、サイト識別データと移動地点座標データを送り、Ｗeb表示処理部B２５からウェブ地理情報システムB１９を表示する移動地点座標データが書込まれたプログラムが利用者端末２に送られ、利用者端末２にウェブ地理情報システムB１９が表示されると同時に、自動的に該プログラム内の地図検索プログラムが起動し、利用者端末２からインターネット１を介して、ウェブ地理情報システムB１９に該移動地点座標データの地点の地図を検索し、利用者端末２に表示されるウェブ地理情報システムBの地図表示画面に該移動地点座標データの地点の地図を表示することを可能とする地域間地理情報システム連動サーバシステムである。
【００１８】
本発明の適用できる通信ネットワーク上の地理情報システムの個別地域範囲は、市町村単位や都道府県単位等の行政区の範囲ばかりでなく、複数の市町村を統合した地方名称エリアにも利用されることが考えられる。
また、図１における地図データベース６は、必ずしも地域間地理情報システム連動サーバの内部にある必要はなく、国土地理院の提供する電子国土Webシステムのように外部のサーバから通信ネットワークを介して提供される場合も想定される。
また、個々の地理情報システムは、図１のように地域間地理情報システム連動サーバの内部にあるばかりでなく、外部のサーバにあり、通信ネットワークを介して提供される場合も想定される。
本実施例１では、地域間地理情報システム連動サーバシステムの一例として、市町村ごとの行政区ごとに連続して複数のウェブ地理情報システムが存する地域間地理情報システムの連動サーバシステムとし、地域間地理情報システム連動サーバ内に地図データベース部と各地理情報システムが設置された事例として説明する。以下、本発明に係る地域間地理情報システム連動サーバシステムを構成する装置について、それぞれその構成を説明する。
【００１９】
端末：
利用者端末２及び管理者端末３、管理者端末４は、それぞれ通常のパソコンが利用され、入力部、出力部、ＣＰＵ、記憶部、表示部（液晶表示装置、ＣＲＴ等）、入力機器（マウス、キーボード、ペン、タッチパネル等）、出力機器（プリンタ等）等を有している。
【００２０】
なお、端末は、通常パソコンと考えられるが、必ずしもパソコンとする必要はなく、通信ネットワーク接続された携帯電話やIP電話やインターネット家電であっても良い。
【００２１】
利用者端末２は、インターネット上のホームページの閲覧やプログラムの稼動を可能とするWebブラウザがインストールされており、ウェブ地理情報システムの表示や地理情報システムの検索や移動操作や座標軸の把握が可能である。
【００２２】
管理者端末３や管理者端末４は、前記利用者端末２の機能を有することはもちろんのことであるが、IDとパスワードにより、ウェブ地理情報システムのGIS管理部への地理空間情報データ等の入出力を行うことが可能である。また、管理者端末３又は管理者端末４は、
地域間地理情報システム連動サーバの管理者端末を兼ねることもできる。
【００２３】
なお、端末は、通常パソコンと考えられるが、必ずしもパソコンとする必要はなく、通信ネットワーク接続された携帯電話やIP電話やインターネット家電であっても良い。
【００２４】
地域間地理情報システム連動サーバ：
図１に示すように、地域間地理情報システム連動サーバ５は、地図データベース部６と位置受信部９と地域範囲感知処理部８と地域範囲境界線データベース部７とサイト識別データ部１０と表示制御部１１と複数のウェブ地理情報システム（ウェブ地理情報システムA１２やウェブ地理情報システムB１９等）とを備えている。
【００２５】
なお、図１では、表示していないがサーバ内に入力部、出力部、ＣＰＵ、記憶部、表示部等の機能があるのは言うまでもない。
【００２６】
このうち、地図データベース部６は、  図１に示すように、ウェブ地理情報システムA１２のGISエンジン部A１４やウェブ地理情報システムB１９のGISエンジン部B２１と接続されており、各地理情報システムに地図データを提供する。
【００２７】
なお、事例１では、地図データベース部６は、地域間地理情報システム連動サーバ５内に設置されているが、地域間地理情報システム連動サーバ５以外のサーバに設置され、通信ネットワークを介して接続される場合でも良い。
【００２８】
また、地図データベース部６の地図データは、世界地図や全国地図や各都道府県の地図等複数の地域に地図データを提供することを可能とする広域エリアの地図データベースであり、地図のデータ規格は、画像データであるラスターデータや数値データであるベクトルデータであっても良い。
【００２９】
位置受信部９は、  図１に示すように、利用者端末２とインターネット１を介して接続されており、利用者端末２のウェブブラウザに表示されているウェブ地理情報システムA１２において、利用者が地図の移動操作を実施し、該ウェブ地理情報システムAの提供する地域以外の連続する地図に移動した場合、その移動地点の地図座標データを感知し受信することを可能とする。
【００３０】
地域範囲感知処理部８は、図１に示すように、位置受信部９と地域境界線データベース部７と表示制御部１１に地域間地理情報システム連動サーバ５内で接続されており、前記位置受信部９からの移動地点地図座標データを受信し、地域境界線データベース部７で該移動地点地図座標データに合致する市町村コードを検出し、該市町村コードと該移動地点地図座標データを同時に表示制御部１１に送信する一連の処理を行うことを可能とする。
【００３１】
また、地域範囲境界線データベース部７は、地域範囲の境界線の多角形境界線座標軸データと該境界線座標軸データに関連付けられた市町村コードを有する地域範囲境界線データベースであり、例えば、地域範囲感知処理部８での市町村コードの検出は、移動地点地図座標データがA市の多角形境界線座標軸データの範囲内に位置することを感知した場合に、A市の市町村コードを検出する。地域範囲の境界線の多角形境界線座標軸データは、
A市の場合、図２のA市ナビゲーションマップ３２のように５角形の各地点を結んだ境界線の範囲の座標軸データである。
【００３２】
なお、前記市町村コードは、都道府県コードや特定のエリアを指定する独自のエリアコ
ードであっても良い。
【００３３】
表示制御部１１は、図１に示すように、サイト識別データ部１０と複数のウェブ地理情報システム（ウェブ地理情報システムA１２やウェブ地理情報システムB１９等）とに地域間地理情報システム連動サーバ５内で接続されており、地域範囲感知処理部８からの前記市町村コードを受信し、サイト識別データ部１０から該市町村コードに合致する地理情報システムのサイト識別データを検出し、該地理情報システムのＷeb表示処理部に該サイト識別データと前記移動地点地図座標データを送信する。
【００３４】
なお、地理情報システムのサイト識別データは、サイトのURLやCGIプログラムで処理されるプログラムの数値識別データであっても良い。
【００３５】
ウェブ地理情報システム（ウェブ地理情報システムA１２やウェブ地理情報システムB１９等）は、図１に示すように、ウェブ地理情報システムA１２の場合では、Ｗeb表示処理部A１８とGIS入力部A１７とGIS出力部A１６と地理空間情報データベースA１５とGISエンジン部A１４とGIS管理部A１３とを有している。
【００３６】
Ｗeb表示処理部A１８は、インターネット１を介して利用者端末２に接続され、Web表示プログラムやウェブ地理情報システムのデータやCGIプログラム等を利用者端末２に送受信処理することを可能とするほか、利用者端末２からの入力信号を受信処理し、GIS入力部A１７を経由してGISエンジン部A１４へ送信する。
【００３７】
また、Ｗeb表示処理部A１８及びウェブ地理情報システムB１９のＷeb表示処理部B２５は、表示制御部１１からの前記サイト識別データと前記移動地点地図座標データを受信し、ウェブ地理情報システムの切替表示や切替え表示と同時に前記移動地点地図座標データを中心とする地図データをウェブ地理情報システムB１９から検索するプログラムを利用者端末２に送信処理することを可能とする。
【００３８】
GISエンジン部A１４は、地図データベース部６と、地理空間情報データベースA１５と、GIS管理部A１３とが接続され、地図データと位置データと位置に関連した地理情報空間データを統合的に処理することを可能とする。
【００３９】
地理空間情報データベースA１５は、地図データの位置に関連した観光の場所や公共施設等のマーク画像や説明するテキスト・画像・映像などのデータベースである。
【００４０】
（作用）
本発明に係る地域間地理情報システム連動サーバシステム（以下、単に「GIS連動サーバシステム」という。）の構成をさらに明確にするために、図１〜３
と、図４に示すフローチャートを参照して、本発明の作用を（１）WebGISの地図操作による地域外地図移動とWebGISの切替表示プロセスと（２）地域外地図移動によるWebGISの切替前の地図位置表示を切替後のWebGISに引継ぎ表示するプロセスとで説明する。
【００４１】
（１）WebGISの地図操作による地域外地図移動とWebGISの切替表示プロセス：
図１の利用者端末２のウェブブラウザにウェブ地理情報システムA１２（以下、「A市地域WebGIS」という。）を表示し、地図移動操作により、連続する他の地域であるB市地域に移動した場合に、自動的にウェブ地理情報システムB１９（以下、「B市地域WebGIS」という。）を利用者端末２のウェブブラウザに切替表示するプロセスについて、図１〜図３と図４（イ）〜（リ）に沿って説明する。
【００４２】
（イ）利用者端末２の利用者（以下、単に「利用者」という。）が、利用者端末２を始動し、表示部にWebブラウザを立上げ、WebブラウザにA市地域WebGISを表示している状態で作業をスタートする。
【００４３】
（ロ）図２のように利用者のWebブラウザには、A市地域WebGIS３０が表示されており、地図表示画面３４には、A市地域の地図が表示されている。地図を操作する場合には、３４の地図表示画面上又は３２のナビゲーションマップ上をマウスクリックするか、地図表示画面３４の各方向に配置されている３５と３６と３７と３８の各方向への移動操作ボタンをマウスクリックすることによって地図操作を行う。
【００４４】
地図操作信号は、図１では、利用者端末２からインターネット１を経由して地域間地理情報システム連動サーバ５のA市地域ＷebGISのＷeb表示処理部A１８に送信され、Ｗeb表示処理部A１８からGIS入力部A１７を経由してGISエンジン部A１４で地図データベース部６からの移動部分のデータを処理し、GIS出力部A１６とＷeb表示処理部A１８を経由して地図操作の結果が利用者端末２のウェブブラウザに表示されるA市地域WebGIS３０の地図表示画面３４に地図表示される。
【００４５】
なお、図２では、表示していないが、A市地域WebGISの地図操作には、拡大縮小の地図操作が含まれることはいうまでもなく、また、地図ナビゲーションマップ３２は、地図表示画面３４の地図表示と連動しており、地図ナビゲーションマップ３２の十字線の交点は、地図表示画面３４の地図表示の中心と連動しており、A市地域WebGISのGISエンジン部の機能である。
【００４６】
（ハ）ところで、A市地域WebGISの地図操作において、図２の３４の地図表示画面上又は３２のナビゲーションマップ上で、A市地域に連続するＢ市地域の地図上やナビゲーションマップ上のB市範囲をクリックした場合、又は、地図表示画面３４のＢ市方向の移動操作ボタン３８をクリックし続けるか、数回クリックすると地図の中央地点が、A市地域の境界線を越えてＢ市地域の地図上の地点として表示される地域外地図移動操作となり、市町村境界線を越えて移動した場合に、その地図移動地点の座標データを自動的に図１の位置受信部９に送信する。
【００４７】
なお、A市地域WebGIS３０において、地域外地図移動操作が実施され、地図の中心地点がＢ市の地図を表示している状態のままでは、A市地域WebGISの地理空間情報データベースA１５にＢ市地域の地理空間情報データは無いため、Ｂ市地域の地理空間情報データの検索や地図上の地点記号は、表示することができない。図２のA市地域WebGIS３０では、A市役所３９は地図表示画面３４に地図表示され、また、検索入力３１でA市役所を検索することが可能となるが、B市役所は、地図表示や検索することはできない。
【００４８】
（ニ）地域外地図移動操作により、利用者端末２のウェブブラウザから地図移動地点の位置座標データが位置受信部９で受信され、地域範囲感知処理部８に送信される。
【００４９】
（ホ）地域範囲感知処理部８は、位置受信部９からの移動地点地図位置座標データを受信し、その移動地点地図位置座標データをもとに、地域範囲境界線データベース部７からＢ市の市町村コードを検出し、Ｂ市の市町村コードと地図移動地点の位置座標データを表示制御部１１へ送信する。
【００５０】
地域範囲境界線データベース部７には、複数市町村の多角形境界線座標軸データとその境界線座標軸データに関連付けられた市町村コードがデータベース化されており、移動地点地図位置座標データは、Ｂ市の多角形境界線座標軸データ範囲内に位置するデータであるためＢ市の市町村コードが検出される。
【００５１】
（へ）地域範囲感知処理部８からＢ市の市町村コードを表示制御部１１で受信し、サイト識別データ部でＢ市の市町村コードに合致するＢ市地域WebGISのサイト識別データを検出処理し、そのサイト識別データと地域範囲感知処理部８からの地図移動地点の位置座標データを同時にＢ市地域WebGIS１９のＷeb表示処理部B２５へ送信する。
【００５２】
なお、サイト識別データ部１０のサイト識別データは、複数の市町村コードに合致する複数の地理情報システムのURL及びサイトを識別するプログラムの数値データ等であり、利用者端末２に地理情報システムを切替表示することを可能とするサイト識別データである。
【００５３】
（ト）Ｂ市地域WebGIS１９のＷeb表示処理部B２５でＢ市のサイト識別データと地図移動地点の位置座標データを受信すると、Ｗeb表示処理部B２５において、Ｂ市地域WebGIS１９のURLに付属するWeb表示プログラムデータに地図移動地点の位置座標データを自動的に書込みプログラム処理し、地図移動地点の位置座標データがプログラム処理されたＢ市地域WebGIS１９のURLに付属するWeb表示プログラムデータを自動的に利用者端末２のウェブブラウザへ送信処理する。
【００５４】
なお、URLに付属するWeb表示プログラムデータは、HTMLやCGI(Perl,PHP)やその他インターネット回線を介してWeb上で稼動するプログラム言語で構成されるデータである。
【００５５】
（チ）利用者端末２のウェブブラウザは、Ｗeb表示処理部B２５からＢ市地域WebGIS１９のURLに付属するWeb表示プログラムデータを受信すると自動的にウェブブラウザの表示を図２のA市地域WebGIS３０から図３のＢ市地域WebGIS４０に切替表示する。
【００５６】
（リ）これで、利用者端末２の利用者が、地図移動操作により、A市地域の境界線を越えてＢ市地域へ地域外地図移動操作を行った場合に、利用者端末２のウェブブラウザの表示は、図２のウェブブラウザの表示（A市地域WebGIS３０）から、図３のウェブブラウザの表示(Ｂ市地域WebGIS４０)に自動的に切替えることが可能となり、WebGISの地図操作による地域外地図移動とWebGISの切替表示プロセスは、完了する。
【００５７】
これによって、A市地域WebGISからＢ市地域WebGISのURLやウェブ表示の切替えばかりでなく、管理者も切替わり、WebGISのバナー広告も図２のA市バナー広告枠３３から図３のＢ市バナー広告枠４３に切替わり、Ｂ市地域WebGISは、自動的にアクセス数も増えたことになる。
【００５８】
（２）地域外地図移動によるWebGISの切替前の地図位置表示を切替後のWebGISに引継ぎ表示するプロセス
次にWebGIS切替表示プロセスに連動して、地域外地図移動によるWebGISの切替前の地図位置表示を切替後のWebGISに引継ぎ表示するプロセスについて説明する。
【００５９】
（ヌ）利用者端末２のウェブブラウザの表示が、Ｂ市地域WebGIS１９に切替表示されると同時に、URLに付属するWeb表示プログラムデータに組み込まれた地図移動地点の位置座標データを検索するプログラムが自動的に起動し、図３の地図表示画面４４に表示する地図検索が実施され、地図検索信号が利用者端末２から、インターネット１を介してＢ市地域WebGIS１９のWeb表示処理部B２５とGIS入力部B２４を経由して、GISエンジン部B２１に送信され検索処理される。
【００６０】
（ル）次に、検索処理の結果は、GISエンジン部B２１から、GIS出力部Ｂ２３とＷeb表示処理部B２５を経由して、利用者端末２のウェブブラウザの図３の地図表示画面４４に地図が表示される。
【００６１】
（ヲ）これによって、利用する地理情報システムが自動的に切替わった場合でも、連続した地図表示が可能で、利用中の地図や位置が何処かを把握することができるようになり、また、図３の地図表示画面４４のＢ市役所４５のように、地図上にＢ市の地図記号等地図空間情報データが表示され、地域外地図移動によるWebGISの切替前の地図位置表示を切替後のWebGISに引継ぎ表示するプロセスは完了する。
【００６２】
なお、地域外地図移動によるWebGISの切替前の地図位置表示を切替後のWebGISに引継ぎ表示する技術としては、Ｂ市地域WebGISのサイト識別データと地図移動地点の位置座標データを、表示制御部１１において同期処理し、地図移動地点の位置座標データを中心とする地図検索信号を表示制御部１１からＢ市地域WebGIS１９のWeb表示処理部B２５を経由してGIS入力部Ｂ２４へ送信する方法や表示制御部１１から直接Ｂ市地域WebGIS１９のGIS入力部Ｂ２４へ送信する方法も可能である。
【産業上の利用可能性】
【００６３】
本発明に係る地域間地理情報システム連動サーバシステムは、以上のようにインターネット等の通信回線を利用し、インターネット利用者端末のウェブ上に表示される連続する異なる地域の複数のウェブ地理情報システムにおいて、一地域のウェブ地理情報システムから、他の地域に連続する地図データの境界線把握により、地理情報システムの利用中の位置を保持したまま、他の地域のウェブ地理情報システムに自動的に移動することを可能とする地理情報システムに関するもので、
利用者にとっては、地域ごとの地理情報システムの検索やURLの入力の手間を省くことが可能となり便利に活用できること、広域エリアのWebGISを効率的に活用することが可能になること、また、区市町村等の境界線付近の地図空間データを把握することも容易となる利点がある。
また、地理情報システムの運営者にとっては、運営者の地域連携によって効率的に広域の地理情報システムの提供が可能となること、一の地域のWebGISは、地図の連続する複数の地域WebGISから自動的にアクセスされることによってアクセス数が増加し、バナー広告等の広告効果を引き上げることが可能となることにより産業上活用できる。
【図面の簡単な説明】
【００６４】
【図１】本発明の地域間地理情報システム連動サーバシステムの実施例１の全体構成を示すブロック図である。
【図２】実施例１において、ウェブ地理情報システムA（A市地域GIS）のウェブ表示画面の図である。
【図３】実施例１において、ウェブ地理情報システムB（B市地域GIS）のウェブ表示画面の図である。
【図４】実施例１において、WebGISの地図操作による地域外地図移動とWebGISの切替表示プロセスと地域外地図移動によるWebGISの切替前の地図位置表示を切替後のWebGISに引継ぎ表示するプロセスのフローチャートである。
【符号の説明】
【００６５】
１  インターネット                       
２  複数の利用者端末                     
３  地理情報システム管理者端末A                       
４  地理情報システム管理者端末B                       
５  地域間地理情報システム連動サーバ                
６  地図データベース部
７  地域範囲境界線データベース部
８  地域範囲感知処理部                           
９  位置受信部
１０ サイト識別データ部
１１  表示制御部
１２  ウェブ地理情報システムA
１３  GIS管理部A
１４  GISエンジン部A
１５  地理空間情報データベースA
１６  GIS出力部A
１７  GIS入力部A                                                       
１８  Ｗeb表示処理部A
１９  ウェブ地理情報システムB
２０  GIS管理部B
２１  GISエンジン部B
２２  地理空間情報データベースB            
２３  GIS出力部B
２４  GIS入力部B
２５  Ｗeb表示処理部B
３０  A市地域WebGIS  
３１   A市検索入力枠
３２   A市ナビゲーションマップ
３３   A市バナー広告枠
３４   A市地図表示画面
３５   地図方向移動操作ボタン
３６   地図方向移動操作ボタン
３７   地図方向移動操作ボタン
３８   地図方向移動操作ボタン
３９   A市役所
４０   B市地域WebGIS  
４１   B市検索入力枠
４２   B市ナビゲーションマップ
４３   B市バナー広告枠
４４   B市地図表示画面
４５   B市役所
【図１】
2007316144.tif 000003
【図２】
2007316144.tif 000004
【図３】
2007316144.tif 000005
【図４】
2007316144.tif 000006
【手続補正書】
【提出日】平成19年1月29日(2007.1.29)
【手続補正１】
【補正対象書類名】特許請求の範囲
【補正対象項目名】全文
【補正方法】変更
【補正の内容】
【特許請求の範囲】
【請求項１】
通信ネットワーク上に存在する複数の端末が、通信ネットワークを介して、地域間地理情報システム連動サーバに接続されて成る地域間地理情報システム連動サーバシステムであって、
前記複数の端末は、通信ネットワークを介して前記複数の地理情報システムの情報管理を行なう複数の管理者端末と該複数のウェブ地理情報システムを利用する複数の利用者端末から成り、
前記地域間地理情報システム連動サーバは、複数のウェブ地理情報システムと、地図データベース部と、位置受信部と、地域範囲感知処理部と、地域範囲境界線データベース部と、サイト識別データ部と、表示制御部と、を備えており、
前記複数のウェブ地理情報システムは、それぞれが、地図上では互いに異なる地域であるが互いに連続する地域において、当該地域のウェブ地理情報を、通信ネットワーク上で発信しており、
また、前記複数のウェブ地理情報システムは、それぞれが、前記地域間地理情報システム連動サーバのデータを通信ネットワーク上のウェブブラウザで表示することを可能とする処理を行うＷｅｂ表示処理部と、前記利用者端末からの地図検索入力が該Ｗｅｂ表示処理部を介して入力するＧＩＳ入力部と、検索結果を該利用者端末に該Ｗｅｂ表示処理部を介して出力するＧＩＳ出力部と、地理空間情報データベースと、ＧＩＳエンジン部と、前記管理者端末から当該ウェブ地理情報システムの管理の入出力を行うＧＩＳ管理部と、を有し、
前記地図データベース部は、複数の該ウェブ地理情報システムに地図データを提供し、
前記位置受信部は、前記利用者端末とインターネットを介して通信されており、該利用者端末で、利用者がウェブブラウザに表示される一の地域の地理情報システムを利用し、該地理情報システムの地図上での移動操作を行い、当該地理情報システムに係る地域に連続する異なる地域に地図移動をした場合に、該異なる地域の移動地点の地図位置座標データを該利用端末から受信し、
地域範囲感知処理部は、位置受信部からの該地図位置座標データにより、地域範囲を感知し、
前記地域範囲境界線データベース部は、地域範囲の境界線の多角形境界線座標軸データと該データに関連付けられた地域コードを有し、
前記サイト識別データ部は、地域コードのウェブ地理情報システムのサイト識別することを可能とするサイト識別データを有し、
前記表示制御部は、地域範囲感知処理部からの地域コードにより、該地域コードに対応するウェブ地理情報システムのサイト識別データを検出し、前記利用者端末のウェブ地理情報システムの表示を切替処理することを可能とするデータ処理を行うものである、
ことを特徴とする地域間地理情報システム連動サーバシステム。
【請求項２】
前記地域範囲感知処理部は、前記位置受信部からの前記地図位置座標データを受信し、該地図位置座標データをもとに、地域範囲の境界線の多角形境界線座標軸データと該境界線座標軸データに関連付けられた地域コードを有する地域範囲境界線データベース部から、該地図位置座標データに該当する地域コードを検索処理し、該地域コードと該地図位置座標データを同時に前記表示制御部へ送信することを可能とすることを特徴とする請求項１に記載の地域間地理情報システム連動サーバシステム。
【請求項３】
前記表示制御部は、前記地域範囲感知処理部からの前記地域コードにより、サイトを識別するデータを有するサイト識別データ部から該地域コードに合致するサイト識別データを検出処理し、該サイト識別データに合致するウェブ地理情報システムのＷｅｂ表示処理部へ送信し、前記利用者端末のウェブ地理情報システムの表示を該サイト識別データに合致するウェブ地理情報システムに切替えることを可能とすることを特徴とする請求項１〜２のいずれかに記載の地域間地理情報システム連動サーバシステム。
【請求項４】
前記地域間地理情報システム連動サーバの位置受信部からの前記地図位置座標データは、前記地域範囲感知処理部と前記表示制御部を漸次経由して、前記サイト識別データに合致するウェブ地理情報システムのＷｅｂ表示処理部に、前記サイト識別データとともに送信され、
該Ｗｅｂ表示処理部は、前記サイト識別データと位置座標データを受信すると、当該ＷｅｂＧＩＳのＵＲＬに付属するＷｅｂ表示プログラムデータに地図移動地点の位置座標データを自動的に書込みプログラム処理し、該処理されたＷｅｂ表示プログラムデータを自動的に利用者端末へ送信し、
利用者端末は、Ｗｅｂ表示処理部から前記処理されたＷｅｂ表示プログラムデータを受信すると、ウェブ地理情報システムの表示が、前記サイト識別データに合致するウェブ地理情報システムに切替えられ、
該切替えと同時に、前記Ｗｅｂ表示プログラムデータに組み込まれた地図移動地点の位置座標データを検索するプログラムが自動的に起動し、地図検索信号が利用者端末から、インターネット、当該Ｗｅｂ表示処理部とＧＩＳ入力部を経由して、ＧＩＳエンジン部に送信され、該地図検索信号に合致する地図データがＧＩＳエンジン部で検索処理され、
該地図データが、該ウェブ地理情報システムのＧＩＳ出力部とＷｅｂ表示処理部を経由して、該利用者端末に送信され、前記切替表示されたウェブ地理情報システムの地図表示画面に、前記地図データを表示することを可能とすることを特徴とする請求項１〜３のいずれかに記載の地域間地理情報システム連動サーバシステム。
【手続補正書】
【提出日】平成19年5月15日(2007.5.15)
【手続補正１】
【補正対象書類名】特許請求の範囲
【補正対象項目名】全文
【補正方法】変更
【補正の内容】
【特許請求の範囲】
【請求項１】
通信ネットワーク上に存在する複数の端末が、通信ネットワークを介して、地域間地理情報システム連動サーバに接続されて成る地域間地理情報システム連動サーバシステムであって、
前記地域間地理情報システム連動サーバは、複数のウェブ地理情報システムと、地図データベース部と、位置受信部と、地域範囲感知処理部と、地域範囲境界線データベース部と、サイト識別データ部と、表示制御部と、を備えており、
前記複数の端末は、通信ネットワークを介して前記複数のウェブ地理情報システムの情報管理を行なう複数の管理者端末と該複数のウェブ地理情報システムを利用する複数の利用者端末から成り、
前記複数のウェブ地理情報システムは、それぞれが、地図上では互いに異なる地域であるが互いに連続する地域において、当該それぞれの地域の地理空間情報データを、通信ネットワーク上で発信しており、  
また、前記複数のウェブ地理情報システムは、それぞれが、前記地域間地理情報システム連動サーバの地図データ及び地理空間情報データを通信ネットワーク上のウェブブラウザで表示することを可能とする処理を行うＷｅｂ表示処理部と、前記利用者端末からの地図検索入力が該Ｗｅｂ表示処理部を介して入力するＧＩＳ入力部と、該ＧＩＳ入力部からの地図検索入力が送られ地図データを検索するＧＩＳエンジン部と、該ＧＩＳエンジン部で得られた検索結果である地図データを該利用者端末に該Ｗｅｂ表示処理部を介して出力するＧＩＳ出力部と、地理空間情報データベースと、ＧＩＳエンジン部と、前記管理者端末からの当該ウェブ地理情報システムの地理空間情報データの入出力を行うＧＩＳ管理部と、を有し、
前記地図データベース部は、複数の該ウェブ地理情報システムに地図データを提供し、
前記位置受信部は、前記利用者端末とインターネットを介して通信されており、該利用者端末で、利用者がウェブブラウザに表示される一の地域のウェブ地理情報システムを利用し、該ウェブ地理情報システムの地図上での移動操作を行い、当該ウェブ地理情報システムに係る地域に連続する異なる地域に地図移動をした場合に、前記連続する異なる地域の市町村への移動地点の地図位置座標データを該利用者端末から受信し、
前記地域範囲境界線データベース部は、地域範囲の境界線の多角形境界線座標軸データと該データに関連付けられた地域コードを有し、
地域範囲感知処理部は、位置受信部からの該地図位置座標データにより、地域範囲を感知するものであって、前記位置受信部からの前記地図位置座標データを受信し、該地図位置座標データをもとに、地域範囲の境界線の多角形境界線座標軸データと該多角形境界線座標軸データに関連付けられた地域コードを有する地域範囲境界線データベース部から、該地図位置座標データに該当する地域コードを検索処理し、該地域コードと該地図位置座標データを同時に前記表示制御部へ送信することを可能とし、
前記サイト識別データ部は、地域コードに合致するウェブ地理情報システムのサイト上の位置を識別することを可能とするサイト識別データを有し、
前記表示制御部は、前記地域範囲感知処理部からの前記地域コードにより、サイトを識別するデータを有するサイト識別データ部から、該地域コードに合致するウェブ地理情報システムのサイト識別データを検出して該サイト識別データに合致するウェブ地理情報システムのＷｅｂ表示処理部へ送信し、前記利用者端末のウェブ地理情報システムを切替表示することを可能とするデータ処理を行うものである、
ことを特徴とする地域間地理情報システム連動サーバシステム。